(57)【要約】  エレベータシステムの乗り心地を測定及び診断するシステム及び方法は、（ａ）モバイルデバイスを動作させて乗り心地データを取得することと、（ｂ）モバイルデバイスを動作させて乗り心地データを外部コンピューティングデバイスに送信することと、（ｃ）外部コンピューティングデバイスを動作させて、取得した乗り心地データと既定のシステムデータとを比較して性能データを作成することと、（ｄ）外部コンピューティングデバイスを動作させて、性能データに少なくともある程度基づいて乗り心地診断を実行することと、及び（ｅ）外部コンピューティングデバイスを動作させて乗り心地診断をモバイルデバイスに送信することと、を含む。
2018505114.tif 000002
【特許請求の範囲】
【請求項１】
モバイルデバイスに保存されたコンピュータアプリケーションを通じた、エレベータかごを含むエレベータシステムの乗り心地の測定及び診断方法であって、
（ａ）前記モバイルデバイスを用いて乗り心地データを取得するステップと、
（ｂ）前記モバイルデバイスを用いて乗り心地データを外部コンピューティングデバイスに送信するステップと、
（ｃ）前記取得した乗り心地データと既定のシステムデータとを比較して性能データを作成するステップと、
（ｄ）前記性能データに少なくともある程度基づいて乗り心地診断を決定するステップと、及び
（ｅ）前記乗り心地診断を前記モバイルデバイスに送信するステップと、
を含む方法。
【請求項２】
ステップ（ａ）が、さらに、前記モバイルデバイスを動作させて複数個の既定のエレベータ構成からあるエレベータ構成を選択することを含む、請求項１に記載の方法。
【請求項３】
前記モバイルデバイスが、前記外部コンピューティングデバイスと無線通信する、請求項１に記載の方法。
【請求項４】
前記乗り心地データが、騒音データ及び振動データを含む、請求項１に記載の方法。
【請求項５】
ステップ（ｃ）が、さらに、前記エレベータかごにある距離を移動するように命令することと、前記モバイルデバイスを前記エレベータかごの内面に設置することと、を含む、請求項１に記載の方法。
【請求項６】
ステップ（ｃ）が、さらに、前記モバイルデバイスを動作させて前記乗り心地データが許容範囲内にあるか否かを決定することを含む、請求項１に記載の方法。
【請求項７】
エレベータかごを含むエレベータシステムと、
前記エレベータかご内に位置付けられており、乗り心地データを測定するように構成されたモバイルデバイスと、
前記モバイルデバイスと通信し、乗り心地診断を前記モバイルデバイスに送信するように構成された外部コンピューティングデバイスと、
を備えた、前記エレベータシステムの乗り心地を測定及び診断するためのシステム。
【請求項８】
前記モバイルデバイスが、複数個の既定のエレベータ構成からあるエレベータ構成を選択し、乗り心地データを取得して送信するように構成された、請求項７に記載のシステム。
【請求項９】
前記外部コンピューティングデバイスが、さらに、前記取得した乗り心地データと既定のシステムデータとを比較するように構成された、請求項８に記載のシステム。
【請求項１０】
前記モバイルデバイスが、第一の信号を測定するように構成された第一の検出器、及び第二の信号を測定するように構成された第二の検出器を備えた、請求項７に記載のシステム。
【請求項１１】
前記第一の検出器が、加速度計を備えており、前記第二の検出器が、音声を測定するためのデバイスを備えた、請求項１０に記載のシステム。
【請求項１２】
前記第一の信号が振動を含み、前記第二の信号が騒音を含む、請求項１０に記載のシステム。
【請求項１３】
前記モバイルデバイスが、前記外部コンピューティングデバイスと無線通信する、請求項７に記載のシステム。
【請求項１４】
前記乗り心地データが、騒音データ及び振動データを含む、請求項７に記載のシステム。
【請求項１５】
前記モバイルデバイスが、前記エレベータかごの内面に設置された、請求項７に記載のシステム。
【発明の詳細な説明】
【技術分野】
【０００１】
関連出願の相互参照
本願は、２０１５年２月２４日に出願された米国仮特許出願第６２／１２０，０６８号に関連し、その優先権利益を主張し、その内容をそれらの全体において本開示に組み込む。
【背景技術】
【０００２】
ここに開示した実施形態は、概してエレベータシステムに関し、特に、エレベータシステムの乗り心地を測定及び診断するシステム及び方法に関する。
【発明の概要】
【発明が解決しようとする課題】
【０００３】
一般に、エレベータ騒音及び振動の専門家は、頻繁に、記録されたデータ及び製品知識を使用することによって、エレベータシステム内部の問題を修理及び診断することができる。一般的に、これには、高価な、大きな、専門の音声及び振動管理機器とともに、知識豊富な現地要員をエレベータ現場に送る必要があった。それ故に、より小さいかつ費用効果的な機器を用いて、エレベータシステムの問題を測定、診断及び修理するためのシステム及び方法に対する要求がある。
【課題を解決するための手段】
【０００４】
一態様において、エレベータシステムの乗り心地を測定及び診断するためのシステムが提供される。システムは、エレベータかご及びモバイルデバイスを含むエレベータシステムを含む。エレベータシステムは、エレベータかごに昇降路の全体にわたって移動するよう命令するように構成される。モバイルデバイスは、メモリに保存されたプログラムを動作するように構成される。モバイルデバイスは、第一の信号を測定し、第二の信号を測定し、そして第一の信号及び第二の信号に少なくともある程度基づいて診断メッセージを表示する。モバイルデバイスは、第一の信号を測定するように構成された第一の検出器も含む。一実施形態において、第一の検出器は、振動を測定するように構成された加速度計を含む。モバイルデバイスは、さらに、第二の信号を測定するように構成された第二の検出器を含む。一実施形態において、第二の検出器は、音声を測定するためのデバイスを含む。
【０００５】
システムは、さらに、モバイルデバイスと通信する外部コンピューティングデバイスを含む。モバイルデバイスと外部コンピューティングデバイスとは、それらの間でデータ交換するように構成される。一実施形態において、モバイルデバイスは、外部コンピューティングデバイスと無線通信する。
【０００６】
一態様において、エレベータシステムの乗り心地を測定及び診断するための方法が提供される。方法は、モバイルデバイスを動作させて複数個のエレベータ構成からあるエレベータ構成を選択し、モバイルデバイスを動作させて乗り心地データを取得するステップを含む。一実施形態において、モバイルデバイスを動作しての乗り心地データの取得は、エレベータかごにある距離を移動するように命令することと、モバイルデバイスをエレベータかごの内面に設置することと、を含む。一実施形態において、乗り心地データは、騒音データ及び振動データを含む。
【０００７】
一実施形態において、方法は、モバイルデバイスを動作させて乗り心地データが許容範囲内にあるか否かを決定するステップを含む。取得した乗り心地データが許容範囲内にある場合には、方法は、モバイルデバイスを動作させて取得した乗り心地データを外部コンピューティングデバイスに送信するステップに進む。
【０００８】
方法は、さらに、外部コンピューティングデバイスを動作させて、性能データに少なくともある程度基づいて乗り心地診断を実行するステップと、外部コンピューティングデバイスを動作させて乗り心地診断をモバイルデバイスに送信するステップと、を含む。
【０００９】
本明細書に包含される実施形態及び他の特徴、利点及び開示、ならびにそれらを実現する様式が、明らかになり、本開示は、添付の図面と併用される本開示のさまざまな例示の実施形態の以下の記載を参照することによって、より良く理解される。
【図面の簡単な説明】
【００１０】
【図１】エレベータシステムの乗り心地を測定及び診断するためのシステムの概略図の例示である。
【図２】エレベータシステムの乗り心地を測定及び診断するための方法の概略フロー図の例示である。
【発明を実施するための形態】
【００１１】
本開示の原理の理解を促進する目的のために、図面に例証される実施形態がここで参照され、具体的な言葉を使用してその実施形態を記載する。それでもなお、それによって本開示の範囲を限定することが全く意図されないことが理解される。
【００１２】
図１は、概して１０で示される、エレベータシステム１２の乗り心地を測定及び診断するためのシステムを例証する。エレベータシステム１２は、エレベータかご１４及び釣合おもり１６を含む。ローピング配置(arrangement)１８（例えば、円形ロープまたは平ベルト）が、公知の様式において、エレベータかご１４及び釣合おもり１６の重量を支える。エレベータマシン２０は、牽引滑車２４に付随するモータ２２を含む。モータ２２は、選択的に、牽引滑車２４を運動させ、ローピング配置１８を対応して運動させて、昇降路内のエレベータかご１４の位置及び運動を制御する。いくつかの条件下では、例えば、釣合おもり１６の重量は、釣合おもり１６が降下できるときにエレベータかご１４を昇降路内で上昇させるように当てにすることができる。例示的なエレベータマシン２０は、モータ２２に電力を付与する駆動部２６を含む。
【００１３】
システム１０は、さらに、モバイルデバイス３０を含む。モバイルデバイス３０が、本明細書に開示した機能を実行するよう動作可能な任意のモバイルデバイス、例えば、携帯電話、タブレットデバイス、もしくは屋外に居る人が運ぶことができる任意のデバイス、または多少の非限定的な実施例を指定する他の機構であっても良いことが認識される。モバイルデバイス３０は、メモリ（図示せず）に保存されたプログラムを動作するように構成される。モバイルデバイス３０は、第一の信号を測定し、第二の信号を測定し、そして第一の信号及び第二の信号に少なくともある程度基づいて診断メッセージを表示する。モバイルデバイス３０は、第一の信号を測定するように構成された第一の検出器３２を含む。一実施形態において、第一の検出器３２は、振動を測定するように構成された加速度計を含む。モバイルデバイス３０は、さらに、第二の信号を測定するように構成された第二の検出器３４を含む。一実施形態において、第二の検出器３４は、音声を測定するためのデバイス、例えば、マイクロフォンを含む。モバイルデバイス３０は、外部コンピューティングデバイス３６と通信する。モバイルデバイス３０と外部コンピューティングデバイス３６とは、それらの間でデータ交換するように構成される。一実施形態において、モバイルデバイス３０は、外部コンピューティングデバイス３６と無線通信する。外部コンピューティングデバイス３６は、一つの非限定的な実施例を指定するためのウェブサーバを含むことができることが認識される。
【００１４】
図２は、概して１００で示される、本明細書に記載するようなシステム１０を利用するエレベータシステム１２の乗り心地の測定及び診断方法を例証する。方法１００は、モバイルデバイス３０を動作させて複数個のエレベータ構成からあるエレベータ構成を選択するステップ１０２を含む。例えば、ユーザは、一連のドロップダウンメニューを通じてエレベータシステム１２の具体的なモデルを特定することを、モバイルデバイス３０のメモリに保存されたプログラムによってプロンプトされることができる。
【００１５】
方法１００は、さらに、モバイルデバイス３０を動作させて乗り心地データを取得するステップ１０４を含む。一実施形態において、モバイルデバイス３０を動作しての乗り心地データの取得は、エレベータかご１４にある距離を移動するように命令することと、モバイルデバイス３０をエレベータかご１４の内面に設置することと、を含む。一実施形態において、乗り心地データは、騒音データ及び振動データを含む。例えば、ユーザは、エレベータかご１４を上方方向または下方方向のいずれかに移動させることをリクエストする信号を駆動部２６に送る。次に、ユーザは、モバイルデバイス３０をエレベータかご１４の内面に設置する。第一の検出器３２が、エレベータかご１４の振動を測定し、第二の検出器３４が、エレベータかご１４が所望の方向に移動するときの昇降路内の音声を測定する。
【００１６】
一実施形態において、方法は、モバイルデバイス３０を動作させて乗り心地データが許容範囲内にあるか否かを決定するステップ１０６を含む。例えば、モバイルデバイス３０が振動を測定した後、ユーザが見るために、取得した乗り心地データをモバイルデバイス３０に提示することができる。次に、ユーザは、取得した乗り心地データを容認または拒否する選択を有することができる。取得した乗り心地データが拒否された場合には、ユーザは、乗り心地データを取得するステップ１０４を繰り返す。
【００１７】
取得した乗り心地データが許容範囲内にある場合には、方法は、モバイルデバイス３０を動作させて取得した乗り心地データを外部コンピューティングデバイス３６に送信するステップ１０８に進む。モバイルデバイス３０が取得した乗り心地データを外部コンピューティングデバイス３６に送信して、取得した乗り心地データと既定のシステムデータとを比較して性能データを作成するステップ１１０が実行される。例えば、特定のエレベータ構成に基づく、許容範囲内にある騒音及び振動データなどの既定のシステムデータがプログラムにロードされる。外部コンピューティングデバイス３６は、モバイルデバイス３０から取得した乗り心地データと既定のシステムデータとを比較して、取得した乗り心地データが既定のシステムデータの許容範囲内にあるか否かを決定する。
【００１８】
方法１００は、さらに、外部コンピューティングデバイス３６を動作させて、性能データに少なくともある程度基づいて乗り心地診断を実行するステップ１１２を含む。例えば、取得した乗り心地データが既定のシステムデータの許容範囲外である場合には、外部コンピューティングデバイス３６は、取得した乗り心地データを解析して、可能性がある問題を特定する。例えば、下部ランディング上方およそ２５メートル（およそ８２フィート）に不完全に位置合わせされたレール継ぎ目、及び／またはエレベータかご１４の乗り心地に関する不具合のある遊び滑車ベアリングからの騒音が非限定的な実施例の数個として挙げられる。
【００１９】
方法１００は、さらに、外部コンピューティングデバイス３６を動作させて乗り心地診断をモバイルデバイス３０に送信するステップ１１４を含む。例えば、外部コンピューティングデバイス３６は、可能性がある問題を特定した後、外部コンピューティングデバイス３６は、読み込み易いフォーマットにて情報をモバイルデバイス３０に送信する。これは、乗り心地を改善するための、望まれていない騒音または振動に関連する、エレベータシステム１２のコンポーネント及び機能を特定するための関連情報をほぼ即座にユーザに付与する。
【００２０】
それ故に、本実施形態が、エレベータシステム１２のメンテナンスが要求されるときに、現地要員の効率性を改善するために、モバイルデバイス３０を用いて乗り心地データを取得し、外部コンピューティングデバイス３６において乗り心地診断を実行して、そしてモバイルデバイス３０を通じて乗り心地診断をユーザに提供するシステム１０及び方法１００を提供することが認識される。
【００２１】
本発明を図面及び前の記載において詳細に例証及び記載したが、同じものは、例証として考慮され、特性を制限しないはずであり、そして特定の実施形態のみが示され、記載され、本発明の本質内にあるすべての変化及び変更の保護が所望されることが理解される。
【符号の説明】
【００２２】
１０    システム
１２    エレベータシステム
１４    エレベータかご
１６    釣合おもり
１８    ローピング配置
２０    エレベータマシン
２２    モータ
２４    牽引滑車
２６    駆動部
３０    モバイルデバイス
３２    第一の検出器
３４    第二の検出器
３６    外部コンピューティングデバイス
１００  方法
【図１】
2018505114.tif 000003
【図２】
2018505114.tif 000004
【国際調査報告】
2018505114.tif 000005
2018505114.tif 000006